【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
内燃機関（Ｅ）内に燃料を噴射するインジェクタ（１０）の作動を制御する燃料噴射制御装置において、
前記インジェクタ内のコイル（１３）に通電することで、前記インジェクタの開閉を制御する電子制御器（２１）と、
バッテリ（２３）から供給される電圧であるバッテリ電圧を昇圧して昇圧電圧を発生させる昇圧回路（２２）と、を備え、
前記電子制御器は、
前記昇圧電圧を前記コイルに印加することに加え、その後、前記バッテリ電圧を前記コイルに印加して前記インジェクタが開弁を開始するのに必要な吸引力である必要開弁力を発生させる開弁制御を行う開弁制御部（Ｓ１、Ｓ３、Ｓ４、Ｓ５）と、
前記開弁制御の後、前記バッテリ電圧を前記コイルに印加して前記インジェクタの開弁を維持する吸引力であり、前記必要開弁力よりも小さい開弁維持力を発生させる開弁維持制御を行う開弁維持制御部（Ｓ６）と、
前記開弁制御中に前記昇圧電圧を前記コイルに印加したとき流れる電流の最大値を、前記バッテリ電圧の降下量に応じて高める補正をする電流補正制御を行う電流補正制御部（Ｓ２）と、を有し、
前記電流補正制御での補正量は、前記バッテリ電圧の降下量と前記インジェクタに供給される前記燃料の燃圧とに応じて前記電流補正制御部により決定され、
前記バッテリ電圧が降下しても、前記燃料の燃圧が低いことにより前記必要開弁力が低くなる場合には、前記電流補正制御での必要量以上の上昇補正が前記電流補正制御部により抑制される燃料噴射制御装置。
【請求項２】
前記電流補正制御が行われた場合に、前記昇圧電圧が前記コイルに印加されているときに前記必要開弁力の吸引力が発生している請求項１に記載の燃料噴射制御装置。
【請求項３】
前記内燃機関の駆動開始時に前記電流補正制御が行われる請求項１又は２に記載の燃料噴射制御装置。
【請求項４】
前記電流補正制御部は、１燃焼サイクル中に必要な噴射量を複数回に分けて噴射する複数回噴射を行う前記内燃機関の駆動時に行われる当該複数回噴射のすべてについて、前記電流補正制御を行う請求項１から３のいずれか１項に記載の燃料噴射制御装置。
【請求項５】
前記電流補正制御部は、１燃焼サイクル中に必要な噴射量を複数回に分けて噴射する複数回噴射を行う前記内燃機関の駆動時に、当該複数回噴射のうちいずれか１回の噴射を選択して前記電流補正制御を行い、当該電流補正制御によって算出された補正量を選択されなかった噴射に流用して前記電流補正制御を行う請求項１から３のいずれか１項に記載の燃料噴射制御装置。
【請求項６】
前記電子制御器は、前記開弁制御を行う前に、前記バッテリ電圧を前記コイルに印加することにより発生した吸引力で前記インジェクタの開弁を補助する開弁補助制御を行う開弁補助制御部（Ｓ８）を有する請求項１から５のいずれか１項に記載の燃料噴射制御装置。
【請求項７】
内燃機関（Ｅ）内に燃料を噴射するインジェクタ（１０）と、
前記内燃機関の各気筒の前記インジェクタに前記燃料を分配して供給するデリバリパイプ（３０）と、
前記燃料の燃圧を高めた高圧燃料を前記デリバリパイプ内に送る高圧ポンプ（４０）と、
前記デリバリパイプに取り付けられ、前記デリバリパイプ内の前記燃料の燃圧を検出する燃圧センサ（３１）と、を備える燃料噴射システムにおいて、
前記インジェクタ内のコイル（１３）に通電することで、前記インジェクタの開閉を制御する電子制御器（２１）と、バッテリ（２３）から供給される電圧であるバッテリ電圧を昇圧して昇圧電圧を発生させる昇圧回路（２２）と、を有する燃料噴射制御装置（２０）を備え、
前記電子制御器は、
前記昇圧電圧を前記コイルに印加することに加え、その後、前記バッテリ電圧を前記コイルに印加して前記インジェクタが開弁を開始するのに必要な吸引力である必要開弁力を発生させる開弁制御を行う開弁制御部（Ｓ１、Ｓ３、Ｓ４、Ｓ５）と、
前記開弁制御の後、前記バッテリ電圧を前記コイルに印加して前記インジェクタの開弁を維持する吸引力であり、前記必要開弁力よりも小さい開弁維持力を発生させる開弁維持制御を行う開弁維持制御部（Ｓ６）と、
前記開弁制御中に前記昇圧電圧を前記コイルに印加したとき流れる電流の最大値を、前記バッテリ電圧の降下量に応じて高める補正をする電流補正制御を行う電流補正制御部（Ｓ２）と、を有し、
前記電流補正制御での補正量は、前記バッテリ電圧の降下量と前記インジェクタに供給される前記燃料の燃圧とに応じて前記電流補正制御部により決定され、
前記バッテリ電圧が降下しても、前記燃料の燃圧が低いことにより前記必要開弁力が低くなる場合には、前記電流補正制御での必要量以上の上昇補正が前記電流補正制御部により抑制される燃料噴射システム。
【手続補正２】
【補正対象書類名】明細書
【補正対象項目名】０００１
【補正方法】変更
【補正の内容】
【０００１】
本発明は、内燃機関内に噴射する燃料の量を制御する燃料噴射制御装置及び燃料噴射システムに関する。
【手続補正３】
【補正対象書類名】明細書
【補正対象項目名】０００７
【補正方法】変更
【補正の内容】
【０００７】
上述の課題をかんがみて、本発明は、バッテリの電圧が降下したときでも、インジェクタを開弁して燃料噴射量の制御ができる燃料噴射制御装置及び燃料噴射システムを提供することを目的とする。
【手続補正４】
【補正対象書類名】明細書
【補正対象項目名】０００８
【補正方法】変更
【補正の内容】
【０００８】
本発明は、内燃機関内に燃料を噴射するインジェクタ内のコイルに通電することで、インジェクタの開閉を制御する電子制御器と、バッテリから供給される電圧であるバッテリ電圧を昇圧して昇圧電圧を発生させる昇圧回路と、を備え、電子制御器は、昇圧電圧をコイルに印加することに加え、その後、バッテリ電圧をコイルに印加してインジェクタが開弁を開始するのに必要な吸引力である必要開弁力を発生させる開弁制御を行う開弁制御部と、開弁制御の後、バッテリ電圧をコイルに印加してインジェクタの開弁を維持する吸引力であり、必要開弁力よりも小さい開弁維持力を発生させる開弁維持制御を行う開弁維持制御部と、開弁制御中に昇圧電圧をコイルに印加したとき流れる電流の最大値を、バッテリ電圧の降下量に応じて高める補正をする電流補正制御を行う電流補正制御部と、を有し、電流補正制御での補正量は、バッテリ電圧の降下量とインジェクタに供給される燃料の燃圧とに応じて電流補正制御部により決定され、バッテリ電圧が降下しても、燃料の燃圧が低いことにより必要開弁力が低くなる場合には、電流補正制御での必要量以上の上昇補正が電流補正制御部により抑制される燃料噴射制御装置である。
【手続補正５】
【補正対象書類名】明細書
【補正対象項目名】０００９
【補正方法】変更
【補正の内容】
【０００９】
本発明は、内燃機関内に燃料を噴射するインジェクタと、内燃機関の各気筒のインジェクタに燃料を分配して供給するデリバリパイプと、燃料の燃圧を高めた高圧燃料をデリバリパイプ内に送る高圧ポンプと、デリバリパイプに取り付けられ、デリバリパイプ内の燃料の燃圧を検出する燃圧センサと、を備える燃料噴射システムにおいて、インジェクタ内のコイルに通電することで、インジェクタの開閉を制御する電子制御器と、バッテリから供給される電圧であるバッテリ電圧を昇圧して昇圧電圧を発生させる昇圧回路と、を有する燃料噴射制御装置を備え、電子制御器は、昇圧電圧をコイルに印加することに加え、その後、バッテリ電圧をコイルに印加してインジェクタが開弁を開始するのに必要な吸引力である必要開弁力を発生させる開弁制御を行う開弁制御部と、開弁制御の後、バッテリ電圧をコイルに印加してインジェクタの開弁を維持する吸引力であり、必要開弁力よりも小さい開弁維持力を発生させる開弁維持制御を行う開弁維持制御部と、開弁制御中に昇圧電圧をコイルに印加したとき流れる電流の最大値を、バッテリ電圧の降下量に応じて高める補正をする電流補正制御を行う電流補正制御部と、を有し、電流補正制御での補正量は、バッテリ電圧の降下量とインジェクタに供給される燃料の燃圧とに応じて電流補正制御部により決定され、バッテリ電圧が降下しても、燃料の燃圧が低いことにより必要開弁力が低くなる場合には、電流補正制御での必要量以上の上昇補正が電流補正制御部により抑制される燃料噴射システムである。
【手続補正６】
【補正対象書類名】明細書
【補正対象項目名】００１０
【補正方法】変更
【補正の内容】
【００１０】
これら本発明によれば、バッテリ電圧が降下したときに、電子制御器が昇圧電圧をコイルに通電し、コイルに流れる電流の最大値を高めるように電流値の補正を行うことで、コイルに発生する吸引力を高めることができる。すると、バッテリ電圧の降下によって下がった吸引力を上記の補正で補い、開弁に必要な吸引力にまで高めることができる。よって、バッテリの電源電圧が降下したときでも、インジェクタを開弁して燃料噴射量の制御ができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
なお、この項に対応する特許請求の範囲に記載した括弧内の符号は、後述する実施形態に記載の具体的手段との対応関係を示すものであって、発明の技術的範囲を限定するものではない。